(57)【要約】【課題】状況に適した焦点距離の調整を行い、調整を行っているか否かを利用者が認識しやすくする。【解決手段】映像出力部１２０が出力した映像を投写する投写レンズ１３０の焦点距離を調整する焦点調整部１４０と、記憶部１１０に初期設定時に記憶される設定情報が記憶されているか否かに基づいて、焦点距離を調整する焦点調整方法として第１の焦点調整方法と第２の焦点調整方法とのいずれを用いるかを判定する焦点調整方法判定部１５０と、焦点調整方法判定部１５０が判定した焦点調整方法に応じた画面を、映像出力部１２０が出力する映像に合成する合成部１６０とを有し、焦点調整部１４０は、合成部１６０が合成して映像出力部１２０が出力した映像に応じて外部から受け付けた操作に基づいて、焦点調整方法判定部１５０が判定した焦点調整方法を用いて焦点距離を調整する。【選択図】図１
2019145985.tif 000002
【特許請求の範囲】
【請求項１】
初期設定時に所定の設定情報を記憶する記憶部と、
映像を出力する映像出力部と、
前記映像出力部が出力した映像を投写する投写レンズと、
前記投写レンズの焦点距離を調整する焦点調整部と、
前記記憶部に前記設定情報が記憶されているか否かに基づいて、前記焦点調整部が行う前記焦点距離を調整する焦点調整方法として第１の焦点調整方法と第２の焦点調整方法とのいずれを用いるかを判定する焦点調整方法判定部と、
前記焦点調整方法判定部が判定した焦点調整方法に応じた画面を、前記映像出力部が出力する映像に合成する合成部とを有し、
前記焦点調整部は、前記合成部が合成して前記映像出力部が出力した映像に応じて外部から受け付けた操作に基づいて、前記焦点調整方法判定部が判定した焦点調整方法を用いて前記映像の前記焦点距離を調整する映像表示装置。
【請求項２】
請求項１に記載の画像表示装置において、
前記焦点調整部は、前記第１の焦点調整方法を用いる場合よりも前記第２の焦点調整方法を用いる場合の方が、前記焦点距離の調整幅が小さな微調整を行い、
前記焦点調整方法判定部は、前記記憶部に前記設定情報が記憶されていない場合、前記第１の焦点調整方法を用いると判定し、前記記憶部に前記設定情報が記憶されている場合、前記第２の焦点調整方法を用いると判定する映像表示装置。
【請求項３】
請求項１または請求項２に記載の映像表示装置において、
当該映像表示装置の加速度を測定する加速度センサを有し、
前記焦点調整方法判定部は、前記加速度センサが測定した加速度の変化量が所定の閾値を超えた場合、前記第１の焦点調整方法を用いると判定する映像表示装置。
【請求項４】
請求項１から３のいずれか１項に記載の映像表示装置において、
前記焦点調整部は、前記第１の焦点調整方法を用いて前記焦点距離を調整する場合、前記合成部が合成して前記映像出力部が出力した映像に応じて外部から受け付けた操作に基づいて、前記焦点距離を最小焦点距離から最大焦点距離へ移動させて調整する映像表示装置。
【請求項５】
請求項１から４のいずれか１項に記載の映像表示装置において、
前記合成部は、前記焦点調整方法判定部が前記第１の焦点調整方法を用いると判定した場合、前記映像出力部が出力する映像に所定のパターンを示す画面を合成し、前記焦点調整方法判定部が前記第２の焦点調整方法を用いると判定した場合、前記映像出力部が出力する映像に所定のメニュー画面を合成する映像表示装置。
【請求項６】
初期設定時に記憶される所定の設定情報が記憶部に記憶されているか否かを判定する処理と、
前記記憶部に前記設定情報が記憶されているか否かの判定結果に基づいて、出力する映像を投写する投写レンズの焦点距離を調整する焦点調整方法として第１の焦点調整方法と第２の焦点調整方法とのいずれを用いるかを判定する処理と、
前記判定した焦点調整方法に応じた画面を、前記出力する映像に合成する処理と、
前記合成した映像を出力する処理と、
前記合成して出力した映像に応じて外部から受け付けた操作に基づいて、前記判定した焦点調整方法を用いて前記焦点距離を調整する処理とを行う映像表示方法。
【請求項７】
コンピュータに、
初期設定時に記憶される所定の設定情報が記憶部に記憶されているか否かを判定する手順と、
前記記憶部に前記設定情報が記憶されているか否かの判定結果に基づいて、出力する映像を投写する投写レンズの焦点距離を調整する焦点調整方法として第１の焦点調整方法と第２の焦点調整方法とのいずれを用いるかを判定する手順と、
前記判定した焦点調整方法に応じた画面を、前記出力する映像に合成する手順と、
前記合成した映像を出力する手順と、
前記合成して出力した映像に応じて外部から受け付けた操作に基づいて、前記判定した焦点調整方法を用いて前記焦点距離を調整する手順とを実行させるためのプログラム。
【発明の詳細な説明】
【技術分野】
【０００１】
本発明は、映像表示装置、映像表示方法およびプログラムに関する。
【背景技術】
【０００２】
映像をスクリーンに投写するプロジェクタ装置では、投写された映像がスクリーン上で鮮明に表示されるよう、投写レンズの焦点距離の調整を行う必要がある。プロジェクタがセンサを用いてスクリーンとの距離を測定して焦点距離を自動調整する「オートフォーカス機能」を持たないタイプのプロジェクタにおいては、利用者が投写映像に表示されるメニュー（ＯＳＤ（Ｏｎ  Ｓｃｒｅｅｎ  Ｄｉｓｐｌａｙ）メニュー）を用いて手動で焦点距離の調整を行う必要がある。
また、装置外部からの操作を受けて、投写レンズの焦点距離を最小距離から最大距離へ調整していき、焦点が合った位置で外部からの操作に基づいて調整動作を停止させる装置が考えられている（例えば、特許文献１参照。）。
【先行技術文献】
【特許文献】
【０００３】
【特許文献１】特開２０１０−２７６９０２号公報
【発明の概要】
【発明が解決しようとする課題】
【０００４】
プロジェクタを設置した後の最初の焦点距離の調整においては、投写レンズの焦点は最適点から大きくずれており、投写される映像画面は著しくぼやけてしまう。また、投写レンズの焦点距離の調整は、焦点を正しく合わせる機能の特性上、細かく調整（微調整）する必要がある。そのため、投写画面上にウィンドウを表示して調整を行うようなフォーカス調整のＯＳＤメニューでは、外部からの適切な操作に反応しているのか、正しくメニューを選択して調整できているのかどうかが利用者にとって視覚的にわかりにくいという問題点がある。つまり、上述したような技術においては、状況に適した焦点距離の調整を行うことができず、調整を行っているか否かを利用者が認識しにくいものとなってしまうという問題点がある。
【０００５】
本発明の目的は、上述した課題を解決する映像表示装置、映像表示方法およびプログラムを提供することである。
【課題を解決するための手段】
【０００６】
本発明の映像表示装置は、
初期設定時に所定の設定情報を記憶する記憶部と、
映像を出力する映像出力部と、
前記映像出力部が出力した映像を投写する投写レンズと、
前記投写レンズの焦点距離を調整する焦点調整部と、
前記記憶部に前記設定情報が記憶されているか否かに基づいて、前記焦点調整部が行う前記焦点距離を調整する焦点調整方法として第１の焦点調整方法と第２の焦点調整方法とのいずれを用いるかを判定する焦点調整方法判定部と、
前記焦点調整方法判定部が判定した焦点調整方法に応じた画面を、前記映像出力部が出力する映像に合成する合成部とを有し、
前記焦点調整部は、前記合成部が合成して前記映像出力部が出力した映像に応じて外部から受け付けた操作に基づいて、前記焦点調整方法判定部が判定した焦点調整方法を用いて前記映像の前記焦点距離を調整する。
また、本発明の映像表示方法は、
初期設定時に記憶される所定の設定情報が記憶部に記憶されているか否かを判定する処理と、
前記記憶部に前記設定情報が記憶されているか否かの判定結果に基づいて、出力する映像を投写する投写レンズの焦点距離を調整する焦点調整方法として第１の焦点調整方法と第２の焦点調整方法とのいずれを用いるかを判定する処理と、
前記判定した焦点調整方法に応じた画面を、前記出力する映像に合成する処理と、
前記合成した映像を出力する処理と、
前記合成して出力した映像に応じて外部から受け付けた操作に基づいて、前記判定した焦点調整方法を用いて前記焦点距離を調整する処理とを行う。
また、本発明のプログラムは、
コンピュータに実行させるためのプログラムであって、
初期設定時に記憶される所定の設定情報が記憶部に記憶されているか否かを判定する手順と、
前記記憶部に前記設定情報が記憶されているか否かの判定結果に基づいて、出力する映像を投写する投写レンズの焦点距離を調整する焦点調整方法として第１の焦点調整方法と第２の焦点調整方法とのいずれを用いるかを判定する手順と、
前記判定した焦点調整方法に応じた画面を、前記出力する映像に合成する手順と、
前記合成した映像を出力する手順と、
前記合成して出力した映像に応じて外部から受け付けた操作に基づいて、前記判定した焦点調整方法を用いて前記焦点距離を調整する手順とを実行させる。
【発明の効果】
【０００７】
以上説明したように、本発明においては、状況に適した焦点距離の調整を行い、調整を行っているか否かを利用者が認識しやすくすることができる。
【図面の簡単な説明】
【０００８】
【図１】本発明の映像表示装置の第１の実施の形態を示す図である。
【図２】図１に示した映像表示装置における映像表示方法の一例を説明するためのフローチャートである。
【図３】本発明の映像表示装置の第２の実施の形態を示す図である。
【図４】図３に示したプロジェクタの内部構成の一例を示す図である。
【図５】図４に示した投写レンズを動作させるためのボタンの一例を示す図である。
【図６】図３に示したプロジェクタにおける映像表示方法の一例を説明するためのフローチャートである。
【図７】ＯＳＤメニュー画面の一例を示す図である。
【図８】図３に示したスクリーンに表示された調整用パターンの一例を示す図である。
【図９】焦点距離の調整の完了を再確認するために映像出力部が表示する画面の一例を示す図である。
【発明を実施するための形態】
【０００９】
本発明は、プロジェクタから投写された画面が視認できないほど焦点距離が大幅にずれているケースの調整要求（粗調整要求）と、焦点距離を細かく合わせたいケースの調整要求（微調整要求）とのいずれを適用するかをプロジェクタが判定する。また、本発明は、互いに別のユーザーインターフェースとレンズ動作とを準備する。これにより、視覚的にわかりやすくそれぞれのフォーカス調整が行えるようにする。
【００１０】
以下に、本発明の実施の形態について図面を参照して説明する。
（第１の実施の形態）
【００１１】
図１は、本発明の映像表示装置の第１の実施の形態を示す図である。本形態における映像表示装置１００は図１に示すように、記憶部１１０と、映像出力部１２０と、投写レンズ１３０と、焦点調整部１４０と、焦点調整方法判定部１５０と、合成部１６０とを有する。なお、図１には、本形態における映像表示装置１００が具備する構成要素のうち、本実施の形態に関わる主要な構成要素の一例を示す。
【００１２】
記憶部１１０は、初期設定時に所定の設定情報を記憶する。
映像出力部１２０は、映像を出力する。
投写レンズ１３０は、映像出力部１２０が出力した映像を投写する。
焦点調整部１４０は、投写レンズ１３０の焦点距離を調整する。また、焦点調整部１４０は、合成部１６０が合成して映像出力部１２０が出力した映像に応じて外部から受け付けた操作に基づいて、焦点調整方法判定部１５０が判定した焦点調整方法を用いて投写レンズ１３０の焦点距離を調整する。
焦点調整方法判定部１５０は、記憶部１１０に設定情報が記憶されているか否かに基づいて、焦点調整部１４０が行う焦点距離を調整する焦点調整方法として第１の焦点調整方法と第２の焦点調整方法とのいずれを用いるかを判定する。
合成部１６０は、焦点調整方法判定部１５０が判定した焦点調整方法に応じた画面を、映像出力部１２０が出力する映像に合成する。
【００１３】
以下に、図１に示した映像表示装置１００における映像表示方法について説明する。図２は、図１に示した映像表示装置１００における映像表示方法の一例を説明するためのフローチャートである。
【００１４】
まず、焦点調整方法判定部１５０が、初期設定時に記憶される所定の設定情報が記憶部１１０に記憶されているか否かを判定する（ステップＳ１）。すると、焦点調整方法判定部１５０は、記憶部１１０に設定情報が記憶されているか否かの判定結果に基づいて、投写レンズ１３０の焦点距離を調整する焦点調整方法として第１の焦点調整方法と第２の焦点調整方法とのいずれを用いるかを判定する（ステップＳ２）。続いて、合成部１６０は、焦点調整方法判定部１５０が判定した焦点調整方法に応じた画面を、映像出力部１２０が出力する映像に合成する（ステップＳ３）。続いて、映像出力部１２０は、合成部１６０が合成した映像を出力する（ステップＳ４）。すると、投写レンズ１３０は、映像出力部１２０が出力した映像を投写する。その後、焦点調整部１４０は、合成して出力した映像に応じて外部から受け付けた操作に基づいて、焦点調整方法判定部１５０が判定した焦点調整方法を用いて投写レンズ１３０の焦点距離を調整する（ステップＳ５）。
【００１５】
このように、初期設定時に記憶される設定情報がすでに記憶されているか否かに基づいて、焦点距離を調整する方法を決定し、その調整方法に応じた表示を行って、表示に対する操作にしたがって焦点距離の調整を行う。そのため、状況に適した焦点距離の調整を行い、調整を行っているか否かを利用者が認識しやすくすることができる。
（第２の実施の形態）
【００１６】
図３は、本発明の映像表示装置の第２の実施の形態を示す図である。本形態における映像表示装置であるプロジェクタ１０１は図３に示すように、スクリーン２０１へ映像を投写することで映像の表示を行う。
【００１７】
図４は、図３に示したプロジェクタ１０１の内部構成の一例を示す図である。図３に示したプロジェクタ１０１は図４に示すように、記憶部１１１と、映像出力部１２１と、投写レンズ１３１と、焦点調整部１４１と、焦点調整方法判定部１５１と、ＯＳＤ合成部１６１と、ＯＳＤ生成部１７１と、加速度センサ１８１と、映像入力部１９１と、操作受付部１９２とを有する。なお、図４には、図３に示したプロジェクタ１０１が具備する構成要素のうち、本実施の形態に関わる主要な構成要素の一例を示す。
【００１８】
記憶部１１１は、初期設定時に所定の設定情報を記憶する。この設定情報は、例えば、言語情報や日時情報等、プロジェクタ１０１を設置したときに設定される情報である。
加速度センサ１８１は、プロジェクタ１０１の加速度を測定する。加速度センサ１８１が測定した結果に基づいて、プロジェクタ１０１の設置姿勢（例えば、上下方向、縦向きや横向き等）を認識することができる。加速度センサ１８１は、ジャイロセンサや、重力センサであっても良い。
映像入力部１９１は、外部から映像を入力する。ここで、映像とは、投写するための映像信号である。
映像出力部１２１は、映像入力部１９１が入力した映像を出力する。また、映像出力部１２１は、加速度センサ１８１が測定した加速度に基づいて認識したプロジェクタ１０１の設置姿勢に応じた向きで映像を出力する。
投写レンズ１３１は、映像出力部１２１が出力した映像をスクリーン２０１へ投写するための焦点調整可能なレンズである。
焦点調整部１４１は、投写レンズ１３１の焦点距離を調整する。また、焦点調整部１４１は、ＯＳＤ合成部１６１が合成して映像出力部１２１が出力した映像に応じて外部から受け付けた操作に基づいて、焦点調整方法判定部１５１が判定した焦点調整方法を用いて投写レンズ１３１の焦点距離を調整する。また、焦点調整部１４１は、焦点距離を調整するための焦点調整方法のうち、第１の焦点調整方法を用いて焦点距離を調整する場合、ＯＳＤ合成部１６１が合成して映像出力部１２１が出力した映像に応じて操作受付部１９２が外部から受け付けた操作に基づいて、投写レンズ１３１の焦点距離を最小焦点距離から最大焦点距離へ移動させて調整する。
焦点調整方法判定部１５１は、記憶部１１１に設定情報が記憶されているか否かに基づいて、焦点調整部１４１が行う焦点距離を調整する焦点調整方法として第１の焦点調整方法と第２の焦点調整方法とのいずれを用いるかを判定する。具体的には、焦点調整方法判定部１５１は、記憶部１１１に設定情報が記憶されていない場合、第１の焦点調整方法を用いると判定し、記憶部１１１に設定情報が記憶されている場合、第２の焦点調整方法を用いると判定する。また、焦点調整方法判定部１５１は、加速度センサ１８１が測定した加速度の変化量があらかじめ設定された閾値を超えた場合、第１の焦点調整方法を用いると判定する。ここで、第２の焦点調整方法は、第１の焦点調整方法よりも焦点距離の調整幅が小さな微調整を行うための調整方法である。以下、第１の焦点調整方法を「粗調整方法」と称し、第２の焦点調整方法を「微調整方法」と称する。
ＯＳＤ生成部１７１は、焦点調整方法判定部１５１が判定した焦点調整方法に応じたメニュー画面を生成する。また、ＯＳＤ生成部１７１は、焦点調整方法判定部１５１が粗調整方法を用いると判定した場合、所定のパターンを示す画面を生成する。また、ＯＳＤ生成部１７１は、焦点調整方法判定部１５１が微調整方法を用いると判定した場合、所定のメニュー画面を生成する。
ＯＳＤ合成部１６１は、ＯＳＤ生成部１７１が生成した画面を、映像出力部１２１が出力する映像に合成する合成部である。具体的には、ＯＳＤ合成部１６１は、ＯＳＤ生成部１７１が生成した画面を、映像入力部１９１が入力した映像に重ねて合成する。
操作受付部１９２は、外部からの操作を受け付ける。操作受付部１９２は、外部のリモコンから送信されてきた信号を受信する受光部であっても良いし、ボタン形状やタッチパネルに設けられたキーパネル等を用いて利用者が行った操作を受け付けるものであっても良い。
【００１９】
焦点距離の調整は、投写レンズ１３１を前後に動作させてスクリーン２０１に対する焦点距離を調整することによって実現されている。投写レンズ１３１を動作させるためには、様々な方法が用いられている。
【００２０】
図５は、図４に示した投写レンズ１３１を動作させるためのボタンの一例を示す図である。図５に示すように、「ＦＯＣＵＳ」と表示されたボタン３０１がキーパネルやリモコンに具備されており、利用者がボタン３０１を押すことで焦点距離の調整が開始される。利用者がプロジェクタ１０１の投写レンズ１３１の焦点距離を調整するケースとして、以下に示す２つが考えられる。
（１）プロジェクタを設置後、最初の投写でスクリーン上の映像画面がぼやけており、焦点距離を大幅に調整する必要があるケース。
（２）ある設置場所でプロジェクタを使用しているうちに何らかの原因で焦点距離がずれてきて、微調整を行う必要があるケース。
（１）のケースでは、焦点距離が最適位置にある程度近づくまで、ＯＳＤメニューを表示したり、利用者が準備した調整用画像を投写したりしても、画の輪郭がわからずに全容がつかめない。そこで、（１）のケースでは、まず画の輪郭がわかる程度まで、粗い調整を行う必要がある。このときは、粗調整方法を用いて焦点距離の調整を行う。また、（２）のケースでは、微調整方法を用いて焦点距離の調整を行う。
【００２１】
以下に、図３に示したプロジェクタ１０１における映像表示方法について説明する。図６は、図３に示したプロジェクタ１０１における映像表示方法の一例を説明するためのフローチャートである。
【００２２】
キーパネルやリモコンに具備された「ＦＯＣＵＳ」ボタンが押された操作を操作受付部１９２が受け付けることでフォーカス調整が要求されると（ステップＳ１１）、その要求が粗調整要求なのか、微調整要求なのかを、焦点調整方法判定部１５１は以下に示す手順を用いて判定する。
【００２３】
焦点調整方法判定部１５１は、記憶部１１１を参照し、プロジェクタ１０１の本体初期設定がすでに行われているか否かを確認する。具体的には、焦点調整方法判定部１５１は、初期設定時に設定される設定情報が記憶部１１１に記憶されているか否かを判定する（ステップＳ１２）。プロジェクタ１０１の最初の起動時、使用に必要な初期設定を促すＯＳＤメニューが表示される。この表示に従って設定（入力）される言語設定や日付設定等が設定情報である。このような判定を行うことで、設定情報の設定前に「ＦＯＣＵＳ」ボタンが押された場合、焦点調整方法判定部１５１は、ＯＳＤメニューの視認が困難なほどフォーカスがずれていると判定し、その調整要求が粗調整要求とみなす。
設定情報が記憶部１１１に記憶されている場合、プロジェクタ１０１の今回の起動時において、直前にＯＳＤメニューが操作されていないかどうかを、焦点調整方法判定部１５１は、記憶部１１１を参照して確認する（ステップＳ１３）。ＯＳＤメニューで何らかの項目が設定された後に「ＦＯＣＵＳ」ボタンが押下された場合、設定中に利用者が違和感を覚えフォーカスを再調整したいケースと考えられるため、微調整要求とみなす。この操作直前にＯＳＤメニューが操作されたと判定された場合、焦点調整方法判定部１５１は、加速度センサ１８１が測定した加速度の変化があらかじめ設定された閾値を超えているか否かを判定する（ステップＳ１４）。具体的には、焦点調整方法判定部１５１は、現在の加速度センサ１８１の読み出し値（測定値）と、記憶部１１１に記憶されている前回使用時の加速度センサ１８１の測定値とを比較する。プロジェクタ１０１の設置姿勢や角度が以前から変更されていて、加速度センサ１８１の現在の測定値が記憶部１１１に記憶されている測定値と大幅に異なっている場合、焦点調整方法判定部１５１は、プロジェクタ１０１の投写（設置）場所が変更されているとみなし、その調整要求が粗調整要求とみなす。そうでない場合は、焦点調整方法判定部１５１は、その調整要求が微調整要求とみなす。
【００２４】
ステップＳ１４にて、その調整要求が微調整要求とみなされた場合、ＯＳＤ生成部１７１は、焦点距離の微調整を行うための画面であるＯＳＤメニュー画面を生成する。すると、ＯＳＤ合成部１６１は、ＯＳＤ生成部１７１が生成したＯＳＤメニュー画面を映像出力部１２１が出力する画面に重ねて表示する（ステップＳ１５）。このとき、映像出力部１２１が出力した映像（画面）を投写レンズ１３１がスクリーン２０１へ投写する。
【００２５】
図７は、ＯＳＤメニュー画面の一例を示す図である。図７に示すように、映像出力部１２１は利用者に対して焦点距離の微調整を行うことを促すメニュー画面を表示する。焦点調整部１４１が投写レンズ１３１を移動させる移動量は極力少なくし、ＯＳＤメニュー画面上でボタンが押された時間に応じて、投写レンズ１３１を微量ずつ前後に移動させる。ＯＳＤ生成部１７１は、利用者がフォーカスの微調整を行いやすいように、例えば、図７に示すように文字パターンを多く含んだＯＳＤメニュー画面を生成する。なお、ＯＳＤメニュー画面は、スクリーン２０１上へ投写されるものではなく、プロジェクタ１０１本体に設けられたタッチパネル機能付きのディスプレイに表示されるものであっても良い。
【００２６】
操作受付部１９２が、表示されたＯＳＤメニュー画面に従って操作を受け付けると、焦点調整部１４１が焦点距離の調整を開始する（ステップＳ１６）。その後、焦点調整部１４１は、焦点距離の調整が完了したかどうかを判定する（ステップＳ１７）。例えば、ＯＳＤメニュー画面が表示されている状態で操作受付部１９２がその画面上で操作を受け付けない時間が一定時間継続し、レンズフォーカス調整が行われていないと判定された場合や、リモコン・キーパネルで別のボタンが押下されている操作を操作受付部１９２が受け付けた場合に、微調整が完了したと判定される。焦点調整部１４１が焦点距離の調整が完了したと判定した場合、焦点距離の調整は完了する（ステップＳ１８）。なお、操作受付部１９２が受け付けた操作がＣＰＵ（Ｃｅｎｔｒａｌ  Ｐｒｏｃｅｓｓｉｎｇ  Ｕｎｉｔ）等の制御部（不図示）で処理され、ＯＳＤ生成部１７１へイベントとして通知されることで、ＯＳＤメニュー操作を実現する。
【００２７】
一方、ステップＳ１２にて設定情報が記憶部１１１に記憶されていない場合、ステップＳ１３にて直前にＯＳＤメニューが操作されていない場合、およびステップＳ１４にて加速度センサ１８１が測定した加速度の変化があらかじめ設定された閾値を超えている場合、焦点調整方法判定部１５１は、その調整要求が粗調整要求とみなす。
【００２８】
すると、映像出力部１２１は、微調整要求時に表示されたＯＳＤメニュー画面ではなく、画面全体を使用する調整用パターンを粗調整用画面として表示する（ステップＳ１９）。このとき、映像出力部１２１が出力した粗調整用画面を投写レンズ１３１がスクリーン２０１へ投写する。
【００２９】
図８は、図３に示したスクリーン２０１に表示された調整用パターンの一例を示す図である。図８に示すように調整パターンは、スクリーン２０１全体に表示できる大きな表示とし、表示色も微調整要求時に表示されたＯＳＤメニューの配色とは異なったものとし、ぼやけていても視覚的にわかりやすい所定のパターンとする。また、映像出力部１２１は、この調整用パターンの中央部分に、その後の調整完了判定に使用するための完了操作を文字として利用者に促すための表示を行う。
【００３０】
続いて、焦点調整部１４１は、投写レンズ１３１の焦点距離を最小焦点距離に初期化する（ステップＳ２０）。その後、操作受付部１９２が所定の操作を受け付けると、焦点調整部１４１は、投写レンズ１３１の焦点距離の調整を開始する（ステップＳ２１）。ここで、焦点調整部１４１は、投写レンズ１３１の焦点距離を移動限界である最大焦点距離へ移動させる。その後、焦点調整部１４１は、投写レンズ１３１の焦点距離を移動限界である最大焦点距離まで移動したかどうかを判定する（ステップＳ２２）。焦点調整部１４１は、焦点距離が最大焦点距離に到達した場合、すなわちフォーカス移動限界に達した場合、ステップＳ２０にて焦点距離を再度最小焦点距離に初期化し、ステップＳ２１〜Ｓ２２の処理を繰り返す。また、粗調整を素早く完了させ、利用者の文字・メニューの視認を可能にするため、粗調整における投写レンズ１３１の焦点距離は、微調整時の場合と比較して、大きく移動させるようにする。
焦点調整部１４１が、投写レンズ１３１の焦点距離を最小焦点距離から最大焦点距離へ移動させている途中に、操作受付部１９２が調整を完了させるための操作を受け付けたかどうかを判定する（ステップＳ２３）。例えば、操作受付部１９２が、調整用パターンに表示されている操作方法に従って「ＦＯＣＵＳ」ボタンが押されたかどうかを判定する。操作受付部１９２が調整を完了させるための操作を受け付けた場合、焦点調整部１４１は、映像出力部１２１に再確認を行うための画面（ＯＳＤメニュー）を表示させる。この再確認用の画面（ＯＳＤメニュー）は、利用者の操作ミスで「ＦＯＣＵＳ」ボタンが押されてしまった場合を考慮して映像出力部１２１が表示するものである。
【００３１】
図９は、焦点距離の調整の完了を再確認するために映像出力部１２１が表示する画面の一例を示す図である。図９に示すように、焦点距離の調整を完了するかどうかを利用者に問い合わせる画面が表示される。
【００３２】
焦点距離の調整の完了を再確認する表示がなされると、操作受付部１９２は、その表示に対して焦点距離の調整を完了するための操作を受け付けたかどうかを判定する（ステップＳ２４）。図９に示した例では、表示されている「はい」が選択された場合、操作受付部１９２は、焦点距離の調整を完了するための操作を受け付けたと判定する。操作受付部１９２が、焦点距離の調整を完了するための操作を受け付けたと判定した場合、ステップＳ１８にて焦点距離の調整は完了する。
【００３３】
このように、初期設定時や設置場所が移動になった時の焦点距離の調整については、粗い調整、つまり焦点距離が大きく移動する調整を行い、それ以外の場合の焦点距離の調整については、微調整、つまり焦点距離が細かく移動する調整を行う。また、その際、それぞれの調整方法に応じた画面の表示を行う。そのため、フォーカスが最適な焦点距離から大幅にずれている場合の焦点距離の調整でも、調整中であることが視覚的にユーザーにわかりやすく、設定しやすいため、ストレスなく調整することができる。また、同様に、微調整したい場合にも微調整できているかわかりやすいインターフェースを出すことができる。
【００３４】
以上、各構成要素に各機能（処理）それぞれを分担させて説明したが、この割り当ては上述したものに限定しない。また、構成要素の構成についても、上述した形態はあくまでも例であって、これに限定しない。また、各実施の形態を組み合わせたものであっても良い。
【００３５】
上述した各構成要素が行う処理は、目的に応じてそれぞれ作製された論理回路で行うようにしても良い。また、処理内容を手順として記述したコンピュータプログラム（以下、プログラムと称する）を各構成要素を具備した装置（以下、情報処理装置と称する）にて読取可能な記録媒体に記録し、この記録媒体に記録されたプログラムを情報処理装置に読み込ませ、実行するものであっても良い。情報処理装置にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃ、ＵＳＢ（Ｕｎｉｖｅｒｓａｌ  Ｓｅｒｉａｌ  Ｂｕｓ）メモリなどの移設可能な記録媒体の他、情報処理装置に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、情報処理装置に設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００３６】
１００    映像表示装置
１０１    プロジェクタ
１１０，１１１    記憶部
１２０，１２１    映像出力部
１３０，１３１    投写レンズ
１４０，１４１    焦点調整部
１５０，１５１    焦点調整方法判定部
１６０    合成部
１６１    ＯＳＤ合成部
１７１    ＯＳＤ生成部
１８１    加速度センサ
１９１    映像入力部
１９２    操作受付部
２０１    スクリーン
３０１    ボタン
【図１】
2019145985.tif 000003
【図２】
2019145985.tif 000004
【図３】
2019145985.tif 000005
【図４】
2019145985.tif 000006
【図５】
2019145985.tif 000007
【図６】
2019145985.tif 000008
【図７】
2019145985.tif 000009
【図８】
2019145985.tif 000010
【図９】
2019145985.tif 000011